(57)【要約】  【課題】  農薬製剤の希釈の際に正確に希釈することができる農薬容器を提供する。  【解決手段】  本発明の農薬容器１は、容器部材１０と仕切部材１１とを有している。容器部材１０は内部空間２０を有しており液３０の充填が可能である。また、仕切部材１１は、内部空間２０を農薬製剤充填空間２６と液充填空間２７とに密閉状態に仕切る。そして、所定の操作によって仕切部材１１による仕切りを解除し、農薬製剤充填空間２６にあらかじめ計量されて充填されている農薬製剤２８と、液充填空間２７に充填されている液３０とを混合して農薬製剤２８の希釈を行うことができる。  さらに、吐出手段１２により、この希釈された液体の農薬を吐出することができる。【選択図】  図１
2006001610.tif 000002
【特許請求の範囲】
【請求項１】
内部空間を有して液の充填が可能な容器部材と、前記内部空間を農薬製剤充填空間と液充填空間とに密閉状態に仕切る仕切部材とを有し、所定の操作によって仕切部材による仕切りを解除し、農薬製剤充填空間に充填されている農薬製剤と液充填空間に充填されている液とを混合して農薬製剤の希釈を行うことが可能であることを特徴とする農薬容器。
【請求項２】
液充填空間に充填されている液は水を含む液体であり、農薬製剤充填空間に充填されている農薬製剤は水に溶解又は分散させて使用する固形剤であることを特徴とする請求項１記載の農薬容器。
【請求項３】
内部空間に外に向かって凸状の部分が形成されるように容器部材には突出部が設けられ、農薬製剤充填空間は前記突出部に配置していることを特徴とする請求項１又は２記載の農薬容器。
【請求項４】
仕切部材には農薬製剤充填空間と液充填空間とに仕切る仕切部と、容器部材の外側に位置している操作部とが設けられており、前記操作部を操作することにより仕切部による仕切を解除するものであることを特徴とする請求項１〜３のいずれか記載の農薬容器。
【請求項５】
解除部材が設けられ、前記解除部材は内部空間に位置する解除部と、容器部材の外側に位置する操作部とを有するものであり、前記操作部の操作によって解除部が移動して仕切部材による仕切を解除するものであることを特徴とする請求項１〜３のいずれか記載の農薬容器。
【請求項６】
容器部材には本体部材と移動部材とが設けられ、前記移動部材は本体部材に対して移動可能であって解除部材が取り付けられており、仕切部材は本体部材に取り付けられ、移動部材の移動操作によって仕切部材による仕切を解除するものであることを特徴とする請求項１〜３のいずれか記載の農薬容器。
【請求項７】
容器部材には本体部材と移動部材とが設けられ、前記移動部材は本体部材に対して移動可能であり、仕切部材は本体部材及び移動部材に取り付けられており、移動部材の移動によって仕切部材による仕切を解除するものであることを特徴とする請求項１〜３のいずれか記載の農薬容器。
【請求項８】
本体部材と移動部材とは螺合していることを特徴とする請求項６又は７記載の農薬容器。
【請求項９】
容器部材の一部を離脱させて取り外す部分を有し、当該部分を取り外すことにより希釈された農薬製剤を排出することができることを特徴とする請求項１〜８のいずれか記載の農薬容器。
【請求項１０】
吐出装置が設けられ、前記吐出装置によって液により希釈された農薬製剤の吐出を行うことができることを特徴とする請求項１〜９のいずれか記載の農薬容器。
【発明の詳細な説明】
【技術分野】
【０００１】
本発明は、農薬製剤を水などで希釈することが可能な容器に関するものである。
【背景技術】
【０００２】
従来より、害虫駆除などの目的のため、農薬が用いられている。そして、一般に農薬は散布する際には、有効成分の濃度が所定の範囲となるように調整して散布される。これは、病害虫防除などの効果を高め、作物などへの農薬の影響を小さくするために必要なことである。
【０００３】
一方で、使用前に水などで希釈して使用される農薬製剤がある。希釈して使用する農薬製剤の形態には、水和剤、顆粒状水和剤、乳剤、フロアブル剤などの種類がある。これらの農薬製剤は、使用前に希釈して使用するので、減量や減容できるので搬送が有利であり、使用する前に散布現場などにある水などによって希釈することもできる。
また、希釈される水に対して安定性の悪い成分を有する場合には、使用直前に水で希釈せざるを得ないが、このような成分でも製剤化して用いることも場合により可能である。
そして、水などで希釈する農薬製剤を用いる場合には、有効成分の濃度を所定の範囲にするため、正確な割合での希釈が必要となる。
【０００４】
家庭菜園やガーデニング用にも、農薬が用いられることがあるが、このような用途の場合には一般に一回の使用量が少量である。そのため、農薬製剤及び水の量が少量となり、正確な計量が難しい。また、この計量の際には質量や容積を測定できる計量器等が必要である。さらに、また正確に測定するのは熟練を要するが、家庭菜園やガーデニング用に農薬を使用する者は、このような作業に不慣れであり、正確に希釈することができない場合があった。
【０００５】
そして、このような目的のため、液状農薬を正確に計量することのできる技術が開発されている。（特許文献１）。
【特許文献１】特開２００３−２６２０５号公報
【発明の開示】
【発明が解決しようとする課題】
【０００６】
しかしながら、特許文献１に開示された計量キャップを用いた場合、目盛りの読み取りが正確であったとしても、使用者の勘違いなどによって、誤った倍率に希釈してしまうおそれがあった。
【０００７】
また、農薬製剤を希釈する際に、農薬製剤や希釈後の農薬を触れないようにできれば、安全に作業ができるので望ましい。さらに、希釈後の農薬の吐出をそのままできれば、さらに安全に作業をすることができる。
【０００８】
そこで本発明は、農薬製剤を水などを用いて希釈する場合に、正確に希釈できる農薬容器を提供することを課題とするものである。
【課題を解決するための手段】
【０００９】
そして、上記した目的を達成するための請求項１に記載の発明は、内部空間を有して液の充填が可能な容器部材と、前記内部空間を農薬製剤充填空間と液充填空間とに密閉状態に仕切る仕切部材とを有し、所定の操作によって仕切部材による仕切りを解除し、農薬製剤充填空間に充填されている農薬製剤と液充填空間に充填されている液とを混合して農薬製剤の希釈を行うことが可能であることを特徴とする農薬容器である。
【００１０】
請求項１記載の発明によれば、容器部材の内部空間が仕切部材によって農薬製剤充填空間と液充填空間とに密閉状態に仕切られ、所定の操作によって密閉状態の仕切を解除することができるので、農薬製剤充填空間に充填されている農薬製剤と液充填空間に充填されている液とを、内部空間内で混合して農薬製剤の希釈を行うことができる。そのため、計量された農薬製剤を農薬製剤充填空間に充填しておくことにより、使用者が農薬製剤を改めて計量する必要が無く、また使用者が農薬製剤に触れにくく、安全性が高い。
【００１１】
請求項２記載の発明は、液充填空間に充填されている液は水を含む液体であり、農薬製剤充填空間に充填されている農薬製剤は水に溶解又は分散させて使用する固形剤であることを特徴とする請求項１記載の農薬容器である。
ここで、「水に溶解又は分散させて使用する固形剤」とは、粉体、顆粒状、錠剤などであって液体状ではない形態であり、水又は水溶液など水を含む液体に対して、溶解や分散させることにより、ほぼ均質な状態とすることができるものであり、例えば水和剤、顆粒状水和剤が包含される。
【００１２】
請求項２記載の発明によれば、液充填空間に充填されている液は水を含む液体であり、農薬製剤充填空間に充填されている農薬製剤は水に溶解又は分散させて使用する固形剤であるので、水に対して不安定な成分であって希釈した状態で保存できない成分を用いる場合でも、かかる成分を農薬製剤に配合して、使用する直前に農薬製剤の希釈を行い、希釈した状態で保存せずに農薬として使用することができる。
【００１３】
請求項３記載の発明は、内部空間に外に向かって凸状の部分が形成されるように容器部材には突出部が設けられ、農薬製剤充填空間は前記突出部に配置していることを特徴とする請求項１又は２記載の農薬容器である。
【００１４】
請求項３記載の発明によれば、農薬製剤充填空間は内部空間の突出部に配置しているので、仕切部材の仕切部分の面積を小さくしながら、農薬製剤充填空間の体積を確保することができる。
【００１５】
請求項４記載の発明は、仕切部材には農薬製剤充填空間と液充填空間とに仕切る仕切部と、容器部材の外側に位置している操作部とが設けられており、前記操作部を操作することにより仕切部による仕切を解除するものであることを特徴とする請求項１〜３のいずれか記載の農薬容器である。
【００１６】
請求項４記載の発明によれば、仕切部材には仕切部と操作部とが設けられており、操作部を操作することによって仕切部による農薬製剤充填空間と液充填空間との仕切を解除することができ、外部から仕切の解除を行うことができる。
【００１７】
請求項５記載の発明は、解除部材が設けられ、前記解除部材は内部空間に位置する解除部と、容器部材の外側に位置する操作部とを有するものであり、前記操作部の操作によって解除部が移動して仕切部材による仕切を解除するものであることを特徴とする請求項１〜３のいずれか記載の農薬容器である。
【００１８】
請求項５記載の発明によれば、解除部と操作部とを有する解除部材が設けられ、容器部材の外側に位置する操作部を操作することにより、仕切部材による仕切を解除することができ、外部から仕切の解除を行うことができる。
【００１９】
請求項６記載の発明は、容器部材には本体部材と移動部材とが設けられ、前記移動部材は本体部材に対して移動可能であって解除部材が取り付けられており、仕切部材は本体部材に取り付けられ、移動部材の移動操作によって仕切部材による仕切を解除するものであることを特徴とする請求項１〜３のいずれか記載の農薬容器である。
【００２０】
請求項６記載の発明によれば、解除部材が取り付けられた移動部材を、本体部材に対して移動させることにより、仕切部材による仕切を解除することができ、外部から仕切の解除を行うことができる。
【００２１】
請求項７記載の発明は、容器部材には本体部材と移動部材とが設けられ、前記移動部材は本体部材に対して移動可能であり、仕切部材は本体部材及び移動部材に取り付けられており、移動部材の移動によって仕切部材による仕切を解除するものであることを特徴とする請求項１〜３のいずれか記載の農薬容器である。
【００２２】
請求項７記載の発明によれば、仕切部材が本体部材及び移動部材に取り付けられて、移動部材の移動によって仕切部材による仕切を解除することができ、外部から仕切の解除を行うことができる。
【００２３】
請求項８記載の発明は、本体部材と移動部材とは螺合していることを特徴とする請求項６又は７記載の農薬容器である。
【００２４】
請求項８記載の発明によれば、本体部材と移動部材とは螺合しているので、製作を容易に行うことができ、また、移動部材の移動も確実である。
【００２５】
また、容器部材の一部を離脱させて取り外すことにより希釈された農薬製剤を排出するようにしてもよい（請求項９）。
【００２６】
さらに、吐出装置を設けて、前記吐出装置によって液により希釈された農薬製剤の吐出を行うようにしてもよい（請求項１０）。
【発明の効果】
【００２７】
本発明の農薬容器によれば、農薬製剤を水などを用いて希釈する場合に、正確に希釈することができる。
【発明を実施するための最良の形態】
【００２８】
以下さらに本発明の具体的実施例について説明する。
図１は、本発明の第１の実施形態の農薬容器の突出部付近を切り欠いた正面図である。図２（ａ）は吐出手段の正面図である。図２（ｂ）は容器部材の突出部付近を切り欠いた正面図である。図３は突出部を拡大した斜視図であり、（ａ）は仕切部材によって仕切っている状態を示した図であり、（ｂ）は仕切部材による仕切を解除した状態の図である。図４は変形例の突出部を拡大した斜視図であり、（ａ）は仕切部材によって仕切っている状態を示した図であり、（ｂ）は仕切部材による仕切を解除した状態の図である。図５、図６は変形例の突出部を拡大した断面斜視図である。図７は仕切部材による仕切を解除した状態の容器部材の内部を示した部分断面図である。
【００２９】
本発明の第１の実施形態の農薬容器１は、図１に示されるように、容器部材１０と、容器部材１０の内部に設けられている仕切部材１１と、吐出手段１２を有している。
【００３０】
容器部材１０は、図２（ｂ）に示されており、内部に液体を入れることができる容器であって、後述する液３０を充填することができる。
また、容器部材１０には内部空間２０と、内部空間２０につながる開口２２が設けられている。開口２２の周囲には雄ねじ部２３が設けられ、後述するように、雄ねじ部２３によって吐出手段１２を装着することができる。
【００３１】
容器部材１０には外部に向かって突出している突出部２５が設けられている。そして、突出部２５により内部空間２０には凸状の部分が形成され、この部分に仕切部材１１が設けられている。
仕切部材１１は、内部空間２０を２つの空間に分割するように仕切って、農薬製剤充填空間２６と液充填空間２７とが形成されるものである。そして、農薬製剤充填空間２６と液充填空間２７との間は仕切部材１１によって密閉されており、後述する農薬製剤充填空間２６に充填される農薬製剤２８や、液充填空間２７に充填される液３０が仕切部材１１を越えて他方の空間に移動することはない。
【００３２】
農薬製剤充填空間２６は、容器部材１０の突出部２５と仕切部材１１により囲まれる空間であり、液充填空間２７よりも小さい空間である。また、液充填空間２７には、液３０が充填され、農薬製剤充填空間２６には、液３０によって希釈（溶解、分媒質）して使用する農薬製剤２８が充填される。
【００３３】
容器部材１０の材質は、農薬製剤２８や液３０や希釈後の液状の農薬に対して耐性を有する樹脂材料などを用いることができる。また、この樹脂材料の一例としては、ポリプロピレン樹脂やＡＢＳ樹脂が挙げられる。容器部材１０が２以上の部材を合わせることにより形成される場合には、各部材の材質は異なる材質としても良い。
【００３４】
仕切部材１１の材質についても、農薬製剤２８や液３０や希釈後の液状の農薬に耐性を有する樹脂材料や金属材料などを用いることができる。また、仕切部材１１の破壊が容易な厚みの薄いものが望ましい。このため、仕切部材１１として、既製のフィルムを用いることができ、具体的には、ポリエチレンテレフタレートフィルム、ポリ塩化ビニリデンフィルムなどの樹脂フィルム、アルミニウムフィルムなどの金属フィルムなどを用いることができる。
【００３５】
仕切部材１１は、農薬製剤充填空間２６と液充填空間２７との間に位置しているが、後述する仕切りを解除する操作を行うまでは、農薬製剤充填空間２６と液充填空間２７との間は密閉状態で仕切られている。そのため、農薬製剤充填空間２６に充填される農薬製剤２８が液充填空間２７側に移動したり、液充填空間２７に充填される液３０が農薬製剤充填空間２６側に移動したりすることはない。
【００３６】
容器部材１０の容積は、通常１００ｍｌ〜３０００ｍｌ、好ましくは２００ｍｌ〜１０００ｍｌである。また、農薬製剤充填空間２６の容積は、通常０．５ｍｌ〜５０ｍｌであり、農薬製剤２８を０．５ｇ〜５０ｇ程度充填することができる。
【００３７】
吐出手段１２は、図２（ａ）に示されている。そして吐出手段１２は具体的には例えばトリガー式のスプレーであり、トリガー３２の引き操作を行うと、内部のシリンダー（図示せず）が作動し、チューブ３３の先端部３３ａから内部空間２０内の液体を吸い上げて、吐出ノズル３１から吐出することができるものである。
また、吐出手段１２には、容器部材１０の雄ねじ部２３と螺合可能な雌ねじ部３５が設けられており、容器部材１０と吐出手段１２とを螺合して内部空間２０をほぼ密閉された空間とすることができる。
【００３８】
本実施形態の仕切部材１１の詳しい形状の一例は、図３（ａ）、（ｂ）に示されている。このように、仕切部材１１は、所定の長さを有する帯状であり、可とう性を有するシート状の部材であり、仕切部１１ａと操作部１１ｂとを有している。
【００３９】
そして、仕切部１１ａが内部空間２０に配置されており、仕切部１１ａによって、農薬製剤充填空間２６と液充填空間２７とを仕切っている。仕切部１１ａの周囲が本体部材１０の突出部２５の内壁に密着しており、内部空間２０を密閉された状態で仕切っている。
また、容器部材１０の突出部２５には、内部空間２０の内外を貫通する貫通孔３８が設けられており、この貫通孔３８に仕切部材１１が挿通されており、操作部１１ｂが露出している。そして、操作部１１ｂを引っ張ることにより、仕切部１１ａと突出部２５の内壁に密着が外れ、又は、仕切部１１ａが切断されるなどして、農薬製剤充填空間２６と液充填空間２７とが密閉状態で仕切られている状態を解除することができる。
【００４０】
本実施形態の農薬容器１を使用する場合には、まず、農薬製剤充填空間２６に農薬製剤２８を充填し、液充填空間２７に液３０を充填する。農薬製剤２８は、水和剤、顆粒状水和剤、乳剤、フロアブル剤など、どのような形態の物でもよい。また、液３０は、農薬製剤２８を希釈する液体であり、通常水が用いられるが、必要に応じて水に所定の薬剤を添加したもの（農薬製剤２８の有効成分と異なる農薬有効成分を希釈した液など）や水以外の液体も用いることができる。
また、農薬製剤２８の充填量及び液３０の充填量は、農薬製剤２８を使用する際に希釈する希釈倍率となるような充填量とする。
【００４１】
そして、吐出手段１２の雌ねじ部３５と、容器部材１０の雄ねじ部２３と螺合して、内部空間２０をほぼ密閉する。
【００４２】
さらに、図３（ｂ）に示されるように、仕切部材１１の操作部１１ｂを引っ張って、仕切部１１ａの仕切りを解除する。
そうすると、内部空間２０の農薬製剤充填空間２６と液充填空間２７とが一体となり、図７に示されるように、農薬製剤充填空間２６に充填されていた農薬製剤２８と、液充填空間２７に充填されていた液３０との混合を行うことができる。
なお、より確実に分散させる場合には、農薬容器１の振とうを行う。
【００４３】
農薬製剤２８と液３０とが混合された農薬を吐出する場合には、吐出手段１２のトリガー３２を引くことにより行う。そうすると、吐出ノズル３１から希釈された農薬を吐出することができる。
【００４４】
また、本発明の農薬容器１の販売の際に、あらかじめ正確な充填量の農薬製剤２８及び液３０を充填しておくことができる。かかる場合には、使用者は計量の必要が無く、正確な希釈率で混合することができ、また、混合の際に使用者が、農薬製剤２８や液３０に触れるおそれがほとんどない。
また、安定性等の点から希釈した状態で保存できない有効成分が農薬製剤２８に含まれている場合に、液３０による希釈の直前に希釈を行うことができる。
【００４５】
また、仕切部材１１による仕切りを解除して、農薬製剤充填空間２６と液充填空間２７とを一体化する手段は、上記した方法に限られるものではなく、他のものも用いることができる。
【００４６】
例えば、図４（ａ）、（ｂ）に示される構造を有する農薬容器２を用いることができる。農薬容器２の容器部材１０は、本体部材１０ａと移動部材１０ｂとからなり、移動部材１０ｂは突出部２５の先端付近に位置している。
【００４７】
移動部材１０ｂは有底の円筒体であり、円筒部４８と底面部４９を有しており、円筒部４８の内側は、雌ねじ部４８ａが設けられている。そして、本体部材１０ａの開口部８０付近には円筒部５０が設けられ、円筒部５０の外側には雄ねじ部５０ａを有している。
そして、本体部材１０ａと移動部材１０ｂとは雄ねじ部５０ａと雌ねじ部４８ａとによって螺合しており、移動部材１０ｂを回転することにより、移動部材１０ｂを前進・後退するように移動させることができる。
なお、図５、図６に示される農薬容器３，４の本体部材１０ａ及び移動部材１０ｂについても同様な構造で螺合している。
【００４８】
農薬容器２には、仕切部材４１と解除部材４２が設けられている。仕切部材４１は、本体部材１０ａに設けられ、解除部材４２は移動部材１０ｂの底面部４９に取り付けられている。
解除部材４２は針状の部材であり、先端には尖った解除部４２ａを有している。また、解除部材４２は移動部材１０ｂの前進・後退の移動方向に長い棒状である。
【００４９】
そして、移動部材１０ｂを回転させて前進すると、解除部材４２と仕切部材４１が接近して、解除部材４２の解除部４２ａが仕切部材４１に接触する。さらに移動部材１０ｂを前進させると、解除部材４２の解除部４２ａによって、仕切部材４１が破壊され、図４（ｂ）に示すように、仕切部材４１に貫通孔４４が形成されて、農薬製剤充填空間２６と液充填空間２７とがつながる。
解除部材４２の位置は、移動部材１０ｂの回転中心とずれており、解除部４２ａの軌跡が円状となって、仕切部材４１を破壊するものであるが、解除部材４２の位置はこれに限られるものでない。
【００５０】
また、図５に示される構造を有する農薬容器３を用いることができる。農薬容器３の容器部材１０は、本体部材１０ａと移動部材１０ｂとからなり、移動部材１０ｂは突出部２５の先端付近に位置している。本体部材１０ａと移動部材１０ｂとは螺合しており、移動部材１０ｂを回転することにより、移動部材１０ｂを前進・後退するように移動させることができる。
【００５１】
農薬容器３には、仕切部材５１と解除部材５２が設けられている。仕切部材５１は、本体部材１０ａに設けられ、解除部材５２は移動部材１０ｂに設けられた貫通孔５３に挿通されるように配置している。
解除部材５２には針状の部分であって先端が尖っている解除部５２ａと、容器部材１０の外側に位置している操作部５２ｂを有している。解除部５２ａは内部空間２０側に位置し、また、操作部５２ｂは内部空間２０の外側に位置している。
また、移動部材１０ｂの貫通孔５３の外側と内側に、抜け止め部材５５、５６が設けられている。そして、解除部材５２は抜け止め部材５５、５６の間で前進・後退するように移動させることができる。
【００５２】
そして、解除部材５２を矢印の方向に前進させると、解除部材５２と仕切部材５１が接近して、解除部材５２の解除部５２ａが仕切部材５１に接触する。さらに解除部材５２を前進させると、解除部材５２の解除部５２ａによって、仕切部材５１が破壊され、農薬製剤充填空間２６と液充填空間２７とがつながる。
【００５３】
さらに、図６に示される構造を有する農薬容器４を用いることができる。農薬容器４の容器部材１０は、本体部材１０ａと移動部材１０ｂとからなり、移動部材１０ｂは突出部２５の先端付近に位置している。本体部材１０ａと移動部材１０ｂとは螺合しており、移動部材１０ｂを回転することにより、移動部材１０ｂを前進・後退するように移動させることができる。
【００５４】
農薬容器４には、仕切部材５９が設けられている。仕切部材５９は、本体部材１０ａと移動部材１０ｂのいずれもに固定されている。
【００５５】
そして、移動部材１０ｂを回転させて前進すると、仕切部材５９の本体部材１０ａ側の固定位置５７と移動部材１０ｂ側の固定位置５８の位置関係が変化するので、仕切部材５９が変形して破壊する。そうして、農薬製剤充填空間２６と液充填空間２７とがつながる。
【００５６】
また、農薬容器２、３、４においても、吐出手段１２を用いて、農薬製剤２８が液３０によって希釈された液状の農薬を吐出することができるが、移動部材１０ｂを取り外すことによっても、内部空間２０の当該液状の農薬を排出することができる。
さらに、農薬容器２、３、４の容器部材１０に、密閉状態で仕切っている仕切部材４１、５１、５９を解除するための移動部材１０ｂとは別に、本体部材１０ａから取り外すことの出来る部分を設けても良い。
そして、この本体部材１０ａに対して取り外すことが部分を取り外すことより内部空間２０の当該液状の農薬を排出するようにしてもよい。また、農薬容器１の容器部材１０にも、このような、取り外し可能であって取り外すことにより内部空間２０の農薬の排出が可能な部材を設けることができる。
【００５７】
上記した実施形態では、仕切部材１１、４１、５１、５９自体を破壊して貫通孔や切り欠き部を形成するものであったが、農薬製剤充填空間２６と液充填空間２７との間の密閉状態を解除して、農薬製剤２８や液３０の移動が可能となれば他の方法でも良い。例えば、仕切部材１１、４１、５１、５９と容器部材１０との間との密着部分を引き離す方法でもよい。
【００５８】
移動部材１０ｂを本体部材１０ａから離脱することができるようにして、移動部材１０ｂを取り外し可能とし、農薬製剤２８を液３０で希釈した液状の農薬を取り出すためのふたとして用いることができる。
また、容器部材１０や、容器部材１０を構成する本体部材１０ａや移動部材１０ｂは複数の部材を合わせて形成することができる。この場合、一方の部材を希釈した液状の農薬の保持に用い、他方を着脱可能として、この農薬の取り出しに用いるようにしても良い。
【００５９】
上記した実施形態には吐出手段１２が設けられていたが、吐出手段１２は設けられていないものであってもよい。なお、この場合、他の吐出器や噴霧器に移し替えて吐出や噴霧をすることができる。
【００６０】
液３０を使用者が充填するようにしても良い。この場合、容器部材１０の目盛りを設けることにより、使用者が正確な量の液３０を充填するようにすることが容易となる。
【図面の簡単な説明】
【００６１】
【図１】本発明の第１の実施形態の農薬容器の突出部付近を切り欠いた正面図である。
【図２】（ａ）は吐出手段の正面図であり、（ｂ）は容器部材の突出部付近を切り欠いた正面図である。
【図３】突出部を拡大した斜視図であり、（ａ）は仕切部材によって仕切っている状態を示した図であり、（ｂ）は仕切部材による仕切を解除した状態の図である。
【図４】変形例の突出部を拡大した斜視図であり、（ａ）は仕切部材によって仕切っている状態を示した図であり、（ｂ）は仕切部材による仕切を解除した状態の図である。
【図５】変形例の突出部を拡大した断面斜視図である。
【図６】変形例の突出部を拡大した断面斜視図である。
【図７】仕切部材による仕切を解除した状態の容器部材の内部を示した部分断面図である。
【符号の説明】
【００６２】
１、２、３、４  農薬容器
１０  容器部材
１０ａ  本体部材
１０ｂ  移動部材
１１、４１、５１、５９  仕切部材
１１ａ  仕切部
１１ｂ  操作部
１２  吐出手段
２０  内部空間
２５  突出部
２６  農薬製剤充填空間
２７  液充填空間
２８  農薬製剤
３０  液
４２、５２  解除部材
【図１】
2006001610.tif 000003
【図２】
2006001610.tif 000004
【図３】
2006001610.tif 000005
【図４】
2006001610.tif 000006
【図５】
2006001610.tif 000007
【図６】
2006001610.tif 000008
【図７】
2006001610.tif 000009